(57)【要約】本発明は、複雑な環境においてインテリジェントな電源接続を実現することができるインテリジェント電源接続方法及びインテリジェントコネクタに関し、電気的接続分野に属する。接続対象である２つの接続ユニットと、オンオフユニットとを備える。接続ユニットは、導体部、絶縁部、及びトリガユニットを含む。オンオフユニットとトリガユニットとは電気的に接続され、オンオフユニットとトリガユニットとの間において遅延ユニットを直列接続することができる。当該設計により、接続過程におけるコネクタの瞬時の導電による短絡や漏電を回避することができる。コネクタの密封のための時間が提供され、接続中におけるコネクタの全体的な密封性が不十分という問題が解決される。使用難度及びメンテナンスの難度が簡素化され、複雑な環境において安全な帯電操作が実現される。複雑な環境における接続の場合、インテリジェントな制御により、瞬時の通電による漏電や短絡現象は生じない。電気コネクタの帯電位置の外部環境からの十分な隔離及びインテリジェントな制御を実現することができる。当該コネクタの絶縁部は、密封条件下の隔離を実現し、接続位置を外部の複雑な環境から効果的に隔離することができる。当該設計は、複雑な環境において２つの接続ユニットのインテリジェントな接続を実現することができる。
2019519888.tif 000002
【特許請求の範囲】
【請求項１】
接続対象である２つの接続ユニットと、オンオフユニットとを備えるインテリジェント電源接続方法であって、前記接続ユニットは、導体部、絶縁部、及びトリガユニットを含み、前記オンオフユニットと前記トリガユニットとは電気的に接続され、前記オンオフユニットと前記トリガユニットとの間において遅延ユニットを直列接続することができ、２つの前記接続ユニットの電気的接続ステップは、
２つの前記接続ユニットの絶縁部分を接触させて、前記導体部、前記遅延ユニット及び前記トリガユニットを外部環境から隔離し、前記トリガユニットをトリガするステップ１と、
前記トリガユニットによって前記オンオフユニットを導通状態になるようにトリガし、前記オンオフユニットによって２つの前記接続ユニットの導体部を電気的に接続する、或いは、前記トリガユニットによって前記遅延ユニットの遅延機能をトリガし、前記遅延ユニットの遅延終了後、前記オンオフユニットを電気的に接続するように制御し、前記オンオフユニットによって２つの前記接続ユニットの導体部を電気的に接続し、又は、通電ロジック関係をトリガするステップ２とを含むことを特徴とするインテリジェント電源接続方法。
【請求項２】
前記トリガユニットは、電圧制御素子、磁気制御素子、又は光制御素子であり、前記トリガユニットの出力信号は電気信号であることを特徴とする請求項１に記載のインテリジェント電源接続方法。
【請求項３】
前記遅延ユニットは、ＭＣＵタイマ、ＬＣ回路、又はＲＣ回路であることを特徴とする請求項１に記載のインテリジェント電源接続方法。
【請求項４】
少なくとも２つのトリガユニットを、直列接続、又は、直列接続と並列接続との組合せ方式によって互いに電気的に接続して、前記遅延ユニットをトリガすることを特徴とする請求項３に記載のインテリジェント電源接続方法。
【請求項５】
前記接続ユニットは、少なくとも２つの並列する導体部を含み、２つの前記接続ユニットの絶縁部は、挿入形式又は非挿入形式で接触した後、互いに隔離され、且つ前記導体部と協働する複数の絶縁構造を形成することを特徴とする請求項１に記載のインテリジェント電源接続方法。
【請求項６】
前記導体部に対する前記オンオフユニットの制御方式は、一対一の独立制御、又は、一対多の一括制御であることを特徴とする請求項５に記載のインテリジェント電源接続方法。
【請求項７】
前記オンオフユニットに対する前記遅延ユニットの制御方式は、一対一の独立制御、又は、一対多の一括制御であることを特徴とする請求項５に記載のインテリジェント電源接続方法。
【請求項８】
前記遅延ユニットに対する前記トリガユニットのトリガ方式は、一対一の独立トリガ、一対多の一括トリガ、多対一の直列トリガ、多対一の並列トリガ、又は、多対一の直列と並列との組合せのトリガであることを特徴とする請求項５に記載のインテリジェント電源接続方法。
【請求項９】
接触部と、絶縁部と、トリガユニットとを備え、前記接触部及び前記トリガユニットは、前記絶縁部内に配置されており、前記トリガユニットは、前記トリガユニットと接続された回路ロジックをトリガして前記接触部を帯電させるために用いられ、前記絶縁部は、前記接触部が帯電したときに前記接触部及び前記トリガユニットを、外部環境から隔離するように用いられることを特徴とするインテリジェントコネクタ。
【請求項１０】
前記トリガユニットには、オンオフユニットが電気的に接続されており、前記オンオフユニットの入力端には、導体部が電気的に接続され、出力端が接触部に電気的に接続されており、前記オンオフユニットと前記トリガユニットとの間には、遅延ユニットが直列接続されており、前記トリガユニットは、導体部と接触部との間の通電遮断のロジック関係を制御するために、前記オンオフユニットを直接トリガする、又は、前記遅延ユニットを介して前記オンオフユニットを間接的にトリガするために用いられることを特徴とする請求項９に記載のインテリジェントコネクタ。
【請求項１１】
前記絶縁部は、密封状態に嵌合された絶縁前部及び絶縁後部を含み、前記絶縁前部又は前記絶縁後部内には、前記オンオフユニット及び前記遅延ユニットを収容するための収容キャビティが設けられており、前記トリガユニットは、前記絶縁部の接続端に位置することを特徴とする請求項１０に記載のインテリジェントコネクタ。
【請求項１２】
前記オンオフユニットが前記接触部を帯電するように制御する方式は、一対一の独立制御、又は、一対多の一括制御であることを特徴とする請求項１０又は１１に記載のインテリジェントコネクタ。
【請求項１３】
前記オンオフユニットに対する前記遅延ユニットの制御方式は、一対一の独立制御、又は、一対多の一括制御であることを特徴とする請求項１０又は１１に記載のインテリジェントコネクタ。
【請求項１４】
前記遅延ユニットは、ＭＣＵタイマ、ＬＣ回路、又はＲＣ回路であることを特徴とする請求項１３に記載のインテリジェントコネクタ。
【請求項１５】
前記遅延ユニットに対する前記トリガユニットのトリガ方式は、一対一の独立トリガ、一対多の一括トリガ、多対一の直列トリガ、多対一の並列トリガ、又は、多対一の直列と並列との組合せのトリガであることを特徴とする請求項１０又は１１に記載のインテリジェントコネクタ。
【請求項１６】
少なくとも２つのトリガユニットは、直列接続、又は、直列接続と並列接続との組合せ方式によって互いに電気的に接続されて、前記遅延ユニットをトリガすることを特徴とする請求項１５に記載のインテリジェントコネクタ。
【請求項１７】
前記トリガユニットは、電圧制御素子、磁気制御素子、又は光制御素子であり、前記トリガユニットの出力信号は電気信号であることを特徴とする請求項１６に記載のインテリジェントコネクタ。
【請求項１８】
インテリジェントコネクタは、接続ソケット（１）又は接続プラグ（２）であり、前記接続ソケット（１）と前記接続プラグ（２）との絶縁部は、挿入形式又は非挿入形式で接触した後、互いに隔離され、且つ導体部と協働する複数の絶縁構造を形成することを特徴とする請求項９、１０又は１１に記載のインテリジェントコネクタ。
【請求項１９】
前記接続ソケット（１）は、第１絶縁部、第１導体部（１３）、第１オンオフユニット（１４）、第１接触部（１６）、第１遅延ユニット（１５）、及び第１トリガユニット（１７）を含み、前記第１接触部（１６）は、前記第１オンオフユニット（１４）を介して前記第１導体部（１３）と電気的に接続されており、前記第１トリガユニット（１７）は、前記第１遅延ユニット（１５）を介して前記第１オンオフユニット（１４）と電気的に接続されており、前記接続プラグ（２）は、第２導体部（２３）及び第２絶縁部を含み、前記接続プラグ（２）は、第２オンオフユニット（２４）、第２接触部（２６）、第２遅延ユニット（２５）、及び第２トリガユニット（２７）をさらに含み、前記第２接触部（２６）は、前記第２オンオフユニット（２４）を介して前記第２導体部（２３）と電気的に接続されており、前記第２トリガユニット（２７）は、前記第２遅延ユニット（２５）を介して前記第２オンオフユニット（２４）と電気的に接続されていることを特徴とする請求項１８に記載のインテリジェントコネクタ。
【発明の詳細な説明】
【技術分野】
【０００１】
本発明は、複雑な環境においてインテリジェントな電源接続を実現することができるインテリジェント電源接続方法及びインテリジェントコネクタに関し、電気的接続分野に属する。
【背景技術】
【０００２】
毎年電気器具の漏電による安全事故が無数にある。そのうち、電気機器の接続部の漏電が、大半を占めている。現在、防水や漏電防止の接続技術において、接続後に絶縁部を巻き付けて、接着剤をつける方法で全体的に密封するため、水に入る前に接続且つ密封する必要があり、使い勝手が悪い。炭鉱、ガソリンスタンド、及びガススタンドなどのような爆発性又は易燃性を有する環境下では、接続により火花や爆発が発生し、危険性が存在する可能性がある。一方、既存のコンセントは、防水効果もなく、水がコンセントの差込口に入ると、電源が自動的に接続され、人が触れると感電するおそれがある。従って、湿気が多く、水がある環境で安全に使用できるコンセントは未だ市販されていない。より具体的には、コンセントが外部と接続可能な差込口を有するため、水、油及び化学試薬などのような導電性液体が差込口に入ると、漏電が生じる可能性がある。すなわち、既存のコンセントは、水がコンセントの差込口に入りやすい台所や浴室などの湿気の多い環境には適していない。また、コンセントは、屋外環境によって水や湿気の影響を受けやすいため、屋外環境での使用には適していない。また、室内環境においては、不注意や子供が遊んでいるときに、水がコンセントの差込口内に飛び散ることもある。このような場合、差込口に水が入ったコンセントは非常に危険であり、感電事故を引き起こしやすい。既存の保護手段として、防水ボックスをコンセントに取り付ける。コンセントが使用されていないときは、水や他の液体の侵入を防ぐために、コンセントの差込口は、防水ボックスによって被覆される。これでは、使用上に不便をもたらし、さらに、防水ボックスを閉じ忘れたり、誤って防水ボックスを開いたりすると、差込口が露出することで水が差込口内に入り、事故が発生するおそれがある。すなわち、既存のコンセントにおいて、差込口に水が入ることによって発生する感電事故を防止するための、安全性及び信頼性を完全に有する方法はない。
【０００３】
従来の電気コネクタには、以下のような設計上の欠点がある。
１、接続部分の全体的な密封性が不十分である。
２、使い勝手が悪く、メンテナンスが困難であり、ひいては一回限りの接続の場合もある。
３、漏電や短絡が生じやすい複雑な環境において電気を帯びる安全な操作ができず、又は、複雑な環境における接続の場合、瞬時の通電による漏電が発生しやすい。
【発明の概要】
【発明が解決しようとする課題】
【０００４】
上記の問題に鑑み、本発明は、インテリジェント電源接続方法及びインテリジェントコネクタを提供することを目的とする。当該設計により、接続過程におけるコネクタの瞬時の導電による短絡や漏電を回避することができる。コネクタの密封のための時間が提供され、接続中におけるコネクタの全体的な密封性が不十分という問題が解決される。使用難度及びメンテナンスの難度が簡素化され、複雑な環境において安全な帯電操作が実現される。複雑な環境における接続の場合、自動制御により、瞬時の通電による漏電や短絡現象は生じない。
【課題を解決するための手段】
【０００５】
本発明に係る技術的解決手段は、以下の通りである。
本発明は、接続対象である２つの接続ユニットと、オンオフユニットとを備えるインテリジェント電源接続方法を開示する。前記接続ユニットは、導体部、絶縁部、及びトリガユニットを含む。前記オンオフユニットと前記トリガユニットとは電気的に接続され、前記オンオフユニットと前記トリガユニットとの間において遅延ユニットを直列接続することができる。２つの前記接続ユニットの電気的接続ステップは、以下の通りである。
【０００６】
ステップ１、２つの前記接続ユニットの絶縁部分を接触させて、前記導体部、前記遅延ユニット及び前記トリガユニットを外部環境から隔離し、前記トリガユニットをトリガする。
【０００７】
ステップ２、前記トリガユニットによって前記オンオフユニットを導通状態になるようにトリガし、前記オンオフユニットによって２つの前記接続ユニットの導体部を電気的に接続する。或いは、前記トリガユニットによって前記遅延ユニットの遅延機能をトリガし、前記遅延ユニットの遅延終了後、前記オンオフユニットを導通状態になるように制御し、前記オンオフユニットによって２つの前記接続ユニットの導体部を電気的に接続し、又は、通電ロジック関係をトリガする。
【０００８】
上記のステップにおいて、２つの接続ユニットを接続するとトリガユニットがトリガされることによって、遅延ユニットの動作を制御する。これにより、２つの接続ユニットの接続中においてオンオフユニットの導通によって２つの導体の導通を引き起こすことも、漏電事故をもたらすこともない。当該遅延動作によって通電の時間を遅らせることにより、絶縁部の完全密封を実現することができ、不完全な密封によるオンオフユニットの伝導、漏電又は短絡事故が回避される。従来技術における防水構造と比較して、当該方法は、コネクタの接続過程において、絶縁箇所が外部から完全に隔離されていない場合における短絡や漏電状況の発生を防止することができる。また、機械的構造と比較して、当該方法は、低電圧トリガの方法で導通する構成を有するため、構造がより簡単で、信頼性及び安全性がより高く、トリガ距離がより短い。漏電の確率がより低く、トリガユニットの設計により、トリガの独立性及び調整可能性が確保され、オンオフ制御の信頼性が向上する。また、接続ユニットの構造を簡素化し、接続ユニットを小型化するために、オンオフユニット及び遅延ユニットを外付けにしてもよい。これにより、接続ユニットの独立生産及び交換に寄与し、生産コストを削減することができる。
【０００９】
前記トリガユニットは、電圧制御素子、磁気制御素子、又は光制御素子である。トリガユニットの出力信号は電気信号である。圧力、磁界又は光を制御する方式で電気信号をトリガ且つ出力することにより、様々なオプションを確保し、異なる環境に応じてリアルタイムで選択し、コネクタの適応性を高めることができる。電気信号の出力により、トリガユニットの安定性を向上させ、生産コストを削減することができる。
【００１０】
前記遅延ユニットは、ＭＣＵタイマ、ＬＣ回路、又はＲＣ回路である。当該遅延ユニットの設計により、コネクタ部の接続過程において、導体部が完全に密封されていない場合には、導体部を導通しないようにすることができる。絶縁部分が接続された後に導体部を電気的に接続させることにより、導体部の漏電や短絡を回避することができる。上記の構造による遅延ユニットは、構造が簡単であり、生産コス及び生産難度を効果的に低減することができる。
【００１１】
少なくとも２つのトリガユニットを、直列接続、又は、直列接続と並列接続との組合せ方式によって互いに電気的に接続して、遅延ユニットをトリガする。当該直列トリガ方式により、トリガの誤操作による漏電現象が回避され、コネクタの安全性及び安定性が向上する。
【００１２】
前記接続ユニットは、少なくとも２つが並列した導体部を含む。２つの前記接続ユニットの絶縁部は、挿入形式又は非挿入形式で接触した後、互いに隔離され、且つ導体部と協働する複数の絶縁構造を形成する。並列配置された導体部は、プラグやコンセントなどのような、２本以上のワイヤを有する既存のコネクタに汎用される。前記導体部の間の短絡を回避するために、導体部のそれぞれには、絶縁構造が配置されている。
【００１３】
導体部に対するオンオフユニットの制御方式は、一対一の独立制御、又は、一対多の一括制御である。オンオフユニットの制御方法について、実際の状況や生産コストに応じて調整することができる。
【００１４】
オンオフユニットに対する遅延ユニットの制御方式は、一対一の独立制御、又は、一対多の一括制御である。遅延ユニットの制御方法について、実際の状況や生産コストに応じて選択することができる。
【００１５】
遅延ユニットに対するトリガユニットのトリガ方式は、一対一の独立トリガ、一対多の一括トリガ、多対一の直列トリガ、多対一の並列トリガ、又は、多対一の直列と並列との組合せのトリガである。当該トリガユニットのトリガ方式は、実際のニーズに応じて選択される。
【００１６】
接触部と、絶縁部と、トリガユニットとを備えたインテリジェントコネクタであって、前記接触部及び前記トリガユニットは、前記絶縁部内に配置されており、前記トリガユニットは、前記トリガユニットと接続された回路ロジックをトリガして前記接触部を帯電させるために用いられる。前記絶縁部は、前記接触部が帯電したときに前記接触部及び前記トリガユニットを、外部環境から隔離するように用いられる。
【００１７】
当該インテリジェントコネクタは、簡単な構造及び導通ロジックをトリガする接続を有し、外部装置と協働することで電気的接続を実現することができる。また、当該コネクタは、構造が簡単であり、且つ他のデバイスと互いに独立しているため、生産コストの無駄を効果的に回避し、構造設計を単純化し、各環境におけるコネクタの汎用性を高めることができる。さらに、当該インテリジェントコネクタは、低コストであり、トリガユニットとオンオフユニットとを分離することにより、トリガの独立性が向上する。また、装置間の直列接続及び並列接続の関係によって、オンオフユニットの多重制御が実現され、オンオフの信頼性及び安全性が改善され、短絡及び漏電の確率が低減される。
【００１８】
前記トリガユニットには、オンオフユニットが電気的に接続されている。オンオフユニットの入力端には、導体部が電気的に接続され、出力端が接触部に電気的に接続されている。前記オンオフユニットと前記トリガユニットとの間には、遅延ユニットが直列接続されてよい。前記トリガユニットは、導体部と接触部との間の通電遮断のロジック関係を制御するために、オンオフユニットを直接トリガする、又は、遅延ユニットを介してオンオフユニットを間接的にトリガするために用いられる。
【００１９】
上記の構成に基づいて、遅延ユニットの遅延機能によって、インテリジェントコネクタが接続されるときに、漏電防止及び短絡保護が実現される。また、トリガユニットは、安全性及び信頼性が高く、安全にトリガすることができる。早すぎる又は遅すぎるトリガによって引き起こされた漏電事故又は短絡事故が回避される。
【００２０】
前記絶縁部は、密封状態に嵌合された絶縁前部及び絶縁後部を含む。前記絶縁前部又は前記絶縁後部内には、オンオフユニット及び遅延ユニットを収容するための収容キャビティが設けられている。トリガユニットは、絶縁部の接続端に位置する。当該構造の設計によれば、オンオフユニット及び遅延ユニッが電気コネクタの中央に配置されることにより、オンオフユニット、遅延ユニットを外部の複雑な環境から効果的に隔離し、オンオフユニット及び遅延ユニットの通常の使用を確保することができる。また、トリガユニットが接続端に配置されることにより、２つの接続ユニットが接続されているときに自動トリガの効果を実現することができる。
【００２１】
オンオフユニットが接触部を帯電するように制御する方式は、一対一の独立した制御、又は、一対多の一括制御である。当該オンオフユニットの制御方式は、ニーズに応じてリアルタイムで選択されてよい。
【００２２】
オンオフユニットに対する遅延ユニットの制御方式は、一対一の独立制御、又は、一対多の一括制御である。当該遅延ユニットの制御方式は、ニーズに応じてリアルタイムで選択されてよい。
【００２３】
前記遅延ユニットは、ＭＣＵタイマ、ＬＣ回路、又はＲＣ回路である。当該遅延ユニットは、ニーズに応じて選択されてよい。各遅延回路は、様々な欠点や利点を有し、生産や販売のニーズに応じて選択されてよい。
【００２４】
遅延ユニットに対するトリガユニットのトリガ方式は、一対一の独立トリガ、一対多の一括トリガ、多対一の直列トリガ、多対一の並列トリガ、又は、多対一の直列と並列との組合せのトリガである。当該トリガ方式は、ニーズに応じて選択されてよい。
【００２５】
少なくとも２つのトリガユニットを、直列接続、又は、直列接続と並列接続との組合せ方式によって互いに電気的に接続して、遅延ユニットをトリガする。複数のトリガユニットの直列接続は、トリガユニットの信頼性を向上させ、誤トリガの確率を低減することができる。
【００２６】
トリガユニットは、電圧制御素子、磁気制御素子、又は光制御素子である。トリガユニットの出力信号は電気信号である。市販の基本的な通常電子部品をトリガユニットとして使用することができ、これにより、コストを効果的に削減することができる。
【００２７】
当該インテリジェントコネクタは、接続ソケット又は接続プラグである。前記接続ソケットと前記接続プラグとの絶縁部は、挿入形式又は非挿入形式で接触した後、互いに隔離され、且つ導体部と協働する複数の絶縁構造を形成する。並列する導体部は、市販の様々なコネクタの接続モードに適している。複数の絶縁構造の配置は、導体間の短絡の発生を効果的に回避することができる。
【００２８】
接続ソケットは、第１絶縁部、第１導体部、第１オンオフユニット、第１接触部、第１遅延ユニット、及び第１トリガユニットを含む。前記第１接触部は、前記第１オンオフユニットを介して前記第１導体部と電気的に接続されており、前記第１トリガユニットは、前記第１遅延ユニットを介して前記第１オンオフユニットと電気的に接続されている。接続プラグは、第２導体部及び第２絶縁部を含む。前記接続プラグは、第２オンオフユニット、第２接触部、第２遅延ユニット、及び第２トリガユニットをさらに含む。前記第２接触部は、前記第２オンオフユニットを介して前記第２導体部と電気的に接続されており、前記第２トリガユニットは、前記第２遅延ユニットを介して前記第２オンオフユニットと電気的に接続されている。当該構造によれば、第１オンオフユニットは、第１導体部と第１接触部との間に配置されている。これにより、オンオフユニットの絶縁を確保することができる。また、接触部は、弾性部材と接触部材との組合せとして構成されてよい。これにより、第１接触部と接続プラグとの電気的接続を効果的に確保することができる。さらに、当該接触部は、オンオフユニット、遅延ユニット、及びトリガユニットを効果的に保護し、使用寿命を延ばすように設計されている。接続プラグとして、接続ソケットに類似する機構を採用して導体のオンオフの多重安全性を実現することにより、コネクタの信頼性が向上し、導体間の短絡及び漏電の確率が低減され、コネクタの接続後に完全に密封することができる。
【００２９】
当該オンオフユニット、遅延ユニット、又はトリガユニットは、別々に取り外すことができる。当該取外し可能な配置により、コネクタの使用寿命を確保し、損傷した各ユニットをリアルタイムで交換することができる。
【００３０】
一対多の一括制御方法は、一括信号を制御端として採用して、複数の並列する制御対象端を制御することである。
一対一の個別制御方法は、独立した制御信号を制御端として、それに対応する制御対象端を制御することである。
多対一の直列制御方法は、直列接続の方法を採用して複数の制御信号を直列接続して、対応する１つの制御対象端を制御することである。
多対一の並列制御方法は、並列接続の方法を採用して複数の制御信号を直列接続して、対応する１つの制御対象端を制御することである。
多対一の直列及び並列制御方法は、直列接続の方法を採用して複数の制御信号を直列接続し、次に、複数の制御グループを並列接続して、対応する１つの制御対象端を制御することである。
【発明の効果】
【００３１】
従って、上記の技術的解決手段を採用することにより、以下の有益な効果を有する。
１、当該装置は、コネクタの接続位置及び帯電位置の十分な隔離及びインテリジェントな制御を実現し、漏電又は短絡を効果的に防止することができる。当該コネクタの絶縁部は、密封条件下の隔離を実現し、接続位置を外部の複雑な環境から効果的に隔離することができる。従って、当該設計は、複雑な環境において２つの接続ユニットのインテリジェントな接続を実現することができる。さらに、当該設計における遅延ユニットは、接続過程における２つのコネクタの短絡又は漏電を防止することができる。
【００３２】
２，当該設計は、接続過程におけるコネクタの瞬時の導電による短絡や漏電を回避することができる。コネクタの密封のための時間が提供され、接続中におけるコネクタの全体的な密封性が不十分という問題が解決される。使用難度及びメンテナンスの難度が簡素化され、複雑な環境において安全な帯電操作が実現される。複雑な環境における接続の場合、自動制御により、瞬時の通電による漏電や短絡現象は生じない。
【図面の簡単な説明】
【００３３】
【図１】本発明に係る非挿入型単一コネクタのダブル制御式の接続構成図である。
【図２】本発明に係る挿入型単一コネクタのダブル制御式の接続構成図である。
【図３】本発明に係る非挿入型単一コネクタの単一制御式の接続構成図である。
【図４】本発明に係る挿入型単一コネクタの単一制御式の接続構成図である。
【図５】本発明に係る非挿入型単一コネクタの単一制御式の接続構成（独立遅延ユニット）図である。
【図６】本発明に係る非挿入型単一コネクタの単一制御式の接続構成（側方向のオンオフユニット）図である。
【図７】本発明に係る非挿入型マルチコネクタのダブル制御式の多遅延接続構成図である。
【図８】本発明に係る挿入型マルチコネクタのダブル制御式の多遅延接続構成図である。
【図９】本発明に係る非挿入型マルチコネクタのダブル制御式の単一遅延接続構成図である。
【図１０】本発明に係る挿入型マルチコネクタのダブル制御式の単一遅延接続構成図である。
【図１１】本発明に係る非挿入型マルチコネクタの単一制御式の単一遅延接続構成図である。
【図１２】本発明に係る挿入型マルチコネクタの単一制御式の単一遅延接続構成図である。
【発明を実施するための形態】
【００３４】
以下、図面と併せて本発明について詳細に説明する。
本発明の目的、技術的解決手段及び利点をより明瞭にするために、以下、図面及び実施例と併せて、本発明について更に詳しく説明する。ここに記載する具体的な実施形態は、本発明についての説明だけであって、本発明を限定するものではないことを理解されたい。
【００３５】
＜実施形態１＞
本発明は、接続対象である２つの接続ユニットと、オンオフユニットとを備えるインテリジェント電源接続方法を開示する。接続ユニットは、導体部、絶縁部、及びトリガユニットを含む。オンオフユニットとトリガユニットとは電気的に接続され、オンオフユニットとトリガユニットとの間において遅延ユニットを直列接続することができる。２つの接続ユニットの電気的接続ステップは、以下の通りである。
【００３６】
ステップ１、２つの接続ユニットの絶縁部分を接触させて、導体部、遅延ユニット及びトリガユニットを外部環境から隔離し、トリガユニットをトリガする。
ステップ２、トリガユニットによってオンオフユニットを導通状態になるようにトリガし、オンオフユニットによって２つの接続ユニットの導体部を電気的に接続する。或いは、トリガユニットによって遅延ユニットの遅延機能をトリガし、遅延ユニットの遅延終了後、オンオフユニットを導通状態になるように制御し、オンオフユニットによって２つの接続ユニットの導体部を通電気的に接続し、又は、通電ロジック関係をトリガする。
【００３７】
当該トリガユニットは、電圧制御素子、磁気制御素子、又は光制御素子である。トリガユニットの出力信号は電気信号である。遅延ユニットは、ＭＣＵタイマ、ＬＣ回路、又はＲＣ回路である。少なくとも２つのトリガユニットを、直列接続、又は、直列接続と並列接続との組合せ方式によって互いに電気的に接続して、遅延ユニットをトリガする。接続ユニットは、少なくとも２つの並列する導体部を含む。２つの接続ユニットの絶縁部は、挿入形式又は非挿入形式で接触した後、互いに隔離され、且つ導体部と協働する複数の絶縁構造を形成する。導体部に対するオンオフユニットの制御方式は、一対一の独立制御、又は、一対多の一括制御である。オンオフユニットに対する遅延ユニットの制御方式は、一対一の独立制御、又は、一対多の一括制御である。遅延ユニットに対するトリガユニットのトリガ方式は、一対一の独立トリガ、一対多の一括トリガ、多対一の直列トリガ、多対一の並列トリガ、又は、多対一の直列と並列との組合せのトリガである。
【００３８】
＜実施形態２＞
図１及び図２に示すように、本発明は、接続対象である非挿入型及び挿入型の２つの接続ユニットを備えるインテリジェントコネクタを開示する。当該２つの接続ユニットは、接続プラグ２及び接続ソケット１である。
【００３９】
接続ソケット１は、第１導体部１３及び絶縁部を含む。当該絶縁部は、ネジによって協働する絶縁前部１１及び絶縁後部１２を含み、第１導体部１３は、絶縁後部１２の中心に配置されている。絶縁前部１１内には、第１接触部１６が配置されている。絶縁前部１１と絶縁後部１２とが組み合わされることで収容キャビティが形成されている。収容キャビティ内には、第１オンオフユニット１４が配置されているが、第１遅延ユニット１５がさらに配置されていてもよい。第１オンオフユニット１４の入力端及び出力端は、それぞれ第１導体部１３及び第１接触部１６と電気的に接続されている。
【００４０】
第１オンオフユニット１４の制御端は、第１遅延ユニット１５と電気的に接続されている。絶縁前部１１の接続端３には、第１遅延ユニット１５と電気的に接続された第１トリガユニット１７が配置されている。
或いは、第１オンオフユニット１４の制御端は、第１トリガユニット１７と電気的に接続されており、第１トリガユニット１７によってオンオフユニットのオンオフを直接トリガする。
【００４１】
接続プラグ２は、第２導体部２３及び絶縁部を含む。当該絶縁部は、互いに密封状態で接続された絶縁前部２１及び絶縁後部２２を含み、第２導体部２３は、絶縁後部２２の中心に配置されている。絶縁前部２１内には、第２接触部２６が配置されている。絶縁前部２１と絶縁後部２２との間には、第２オンオフユニット２４及び第２遅延ユニット２５が配置されており、第２オンオフユニット２４の入力端及び出力端は、それぞれ第２導体部２３及び第２接触部２６と電気的に接続されている。第２オンオフユニット２４の制御端は、第２遅延ユニット２５と電気的に接続されている。絶縁前部２１の接続端３には、第２遅延ユニット２５と電気的に接続された第２トリガユニット２７が配置されている。
【００４２】
接続プラグ２と接続ソケット１とが接続されると、それらの絶縁部が互いに接触することにより、導体部、オンオフユニット、遅延ユニット及びトリガユニットは、外部の複雑な環境から隔離される。遅延ユニットの遅延機能は、トリガユニットによってトリガされ、オンオフユニットのオンオフは、遅延ユニットによって制御され、２つの導体部のオンオフは、オンオフユニットによって制御される。或いは、オンオフユニットのオンオフは、トリガユニットによってトリガされ、２つの導体部のオンオフは、オンオフユニットによって制御される。当該オンオフユニット、遅延ユニット、又はトリガユニットは、別々に取り外すことができる。
【００４３】
当該コネクタは、実施形態１における電気接続方法を用いて電気的に接続されてよい。
【００４４】
＜実施形態３＞
図３及び図４に示すように、本発明は、接続対象である非挿入型及び挿入型の２つの接続ユニットを備えるインテリジェントコネクタを開示する。当該２つの接続ユニットは、接続プラグ２及び接続ソケット１である。
【００４５】
接続ソケット１について、実施形態２における接続ソケット１の構造を採用してよい。
接続プラグ２は、第２導体部２３及び第２導体部２３の外部に被覆される絶縁後部２１を含む。
当該コネクタは、実施形態１における電気的接続方法を用いて接続されてよい。
【００４６】
＜実施形態４＞
図５に示すように、本発明は、接続対象である非挿入型の２つの接続ユニットを備えるインテリジェントコネクタを開示する。当該２つの接続ユニットは、接続プラグ２及び接続ソケット１である。
【００４７】
接続ソケット１は、第１導体部１３及び絶縁部を含む。当該絶縁部は、密封状態で嵌合された絶縁前部１１及び絶縁後部１２を含み、第１導体部１３は、絶縁後部１２の中心に配置されている。絶縁前部１１内には、第１接触部１６が配置されており、絶縁前部１１と絶縁後部１２とが組み合わされることで収容キャビティが形成されている。収容キャビティ内には、第１オンオフユニット１４が配置されており、絶縁前部１１内には、第１遅延ユニット１５が配置されている。第１オンオフユニット１４は、入力端及び出力端がそれぞれ第１導体部１３及び第１接触部１６と電気的に接続されており、制御端が第１遅延ユニット１５と電気的に接続されている。絶縁前部１１の接続端３には、第１遅延ユニット１５と電気的に接続された第１トリガユニット１７が配置されている。
【００４８】
接続プラグ２について、実施形態３における接続プラグ２の構造を採用してよい。
当該コネクタは、実施形態１における電気的接続方法を用いて接続されてよい。
【００４９】
＜実施形態５＞
図６に示すように、本発明は、接続対象である非挿入型の２つの接続ユニットを備えるインテリジェントコネクタを開示する。当該２つの接続ユニットは、接続プラグ２及び接続ソケット１である。
【００５０】
接続ソケット１は、第１導体部１３及び絶縁部を含む。当該絶縁部は、密封状態で嵌合された絶縁前部１１及び絶縁後部１２を含み、第１導体部１３及び第１接触部１６は、それぞれ絶縁前部１１の後側及び前側に配置されている。絶縁前部１１は、第１オンオフユニット１４が配置された収容キャビティを有する。つまり、第１オンオフユニット１４が外付けの形式で接続ソケットに配置されており、絶縁後部１２が収容キャビティの密封カバーとして絶縁前部１１と嵌合されていることに相当する。絶縁前部１１内には、第１遅延ユニット１５が配置されている。第１オンオフユニット１４は、入力端及び出力端がそれぞれ第１導体部１３及び第１接触部１６と電気的に接続されており、制御端が第１遅延ユニット１５と電気的に接続されている。絶縁前部１１の接続端３には、第１遅延ユニット１５と電気的に接続された第１トリガユニット１７が配置されている。
【００５１】
接続プラグ２について、実施形態３における接続プラグ２の構造を採用してよい。
当該コネクタは、実施形態１における電気的接続方法を用いて接続されてよい。
【００５２】
＜実施形態６＞
図７及び図８に示すように、本発明は、接続対象である非挿入型及び挿入型の２つの接続ユニットを備えるインテリジェントコネクタを開示する。当該２つの接続ユニットは、接続プラグ２及び接続ソケット１である。
【００５３】
接続ソケット１は、複数の並列する第１導体部１３及び１つの絶縁部を含む。当該絶縁部は、密封状態で嵌合された絶縁前部１１及び絶縁後部１２を含み、並列する第１導体部１３は、絶縁後部１２内に配置されている。絶縁前部１１内には、それぞれ第１導体部１３に対応する複数の第１接触部１６が配置されており、絶縁前部１１と絶縁後部１２とが組み合わされることで複数の収容キャビティが形成されている。各収容キャビティ内には、第１オンオフユニット１４及び第１遅延ユニット１５が配置されている。第１オンオフユニット１４は、入力端及び出力端がそれぞれ対応する第１導体部１３及び対応する第１接触部１６と電気的に接続されており、制御端が対応する第１遅延ユニット１５と電気的に接続されている。絶縁前部１１の接続端３には、第１遅延ユニット１５と電気的に接続された第１トリガユニット１７が対応するように配置されている。
【００５４】
接続プラグ２は、複数の並列する第２導体部２３及び絶縁部を含む。当該絶縁部は、互いに密封状態で接続された絶縁前部２１及び絶縁後部２２を含み、並列する第２導体部２３は、絶縁後部２２内に配置されている。絶縁前部２１内には、それぞれ第１導体部１３に対応する第２接触部２６が配置されている。絶縁前部２１と絶縁後部２２との間には、複数の第２オンオフユニット２４及び複数の第２遅延ユニット２５が対応するように配置されている。第２オンオフユニット２４は、入力端及び出力端がそれぞれ対応する第２導体部２３及び対応する第２接触部２６と電気的に接続されており、制御端が対応する第２遅延ユニット２５と電気的に接続されている。絶縁前部２１の接続端３には、第２遅延ユニット２５と電気的に接続された第２トリガユニット２７が配置されている。
【００５５】
接続プラグ２と接続ソケット１とが接続されると、それらの絶縁部が互いに接触することにより、導体部、オンオフユニット、遅延ユニット及びトリガユニットは、外部の複雑な環境から隔離されて且つ互いに隔離された複数の絶縁構造を形成する。第１接触部１６と対応する第２接触部２６とは、対応する絶縁構造内において電気的に接続される。遅延ユニットの遅延機能は、トリガユニットによってトリガされ、オンオフユニットのオンオフは、遅延ユニットによって制御され、２つの導体部のオンオフは、オンオフユニットによって制御される。当該オンオフユニット、遅延ユニット、又はトリガユニットは、別々に取り外すことができる。
【００５６】
当該電気コネクタは、実施形態１における電気接続方法を用いて電気的に接続されてよい。当該電気コネクタにおいて、導体部に対するオンオフユニットの一対一独立制御による制御方法、オンオフユニットに対する遅延ユニットの一対一独立制御による制御方法、及び、遅延ユニットに対するトリガユニットの一対一独立トリガによる方法が選択される。
【００５７】
＜実施形態７＞
図９及び図１０に示すように、本発明は、接続対象である非挿入型及び挿入型の２つの接続ユニットを備えるインテリジェントコネクタを開示する。当該２つの接続ユニットは、接続プラグ２及び接続ソケット１である。
【００５８】
接続ソケット１は、複数の並列する第１導体部１３及び１つの絶縁部を含む。当該絶縁部は、密封状態で嵌合された絶縁前部１１及び絶縁後部１２を含み、並列する第１導体部１３は、絶縁後部１２内に配置されている。絶縁前部１１内には、それぞれ第１導体部１３に対応する複数の第１接触部１６が配置されており、絶縁前部１１と絶縁後部１２とが組み合わされることで一体化された収容キャビティが形成されている。収容キャビティ内には、１つの第１オンオフユニット１４及び１つの第１遅延ユニット１５が配置されている。第１オンオフユニット１４は、複数のオンオフモジュールを含み、オンオフモジュールの入力端及び出力端は、それぞれ対応する第１導体部１３及び対応する第１接触部１６と電気的に接続されており、第１オンオフユニット１４の制御端は、第１遅延ユニット１５と電気的に接続されている。絶縁前部１１の接続端３には、第１遅延ユニット１５と電気的に接続された、複数の並列する第１トリガユニット１７が配置されている。
【００５９】
接続プラグ２は、複数の並列する第２導体部２３、絶縁部、第２オンオフユニット２４、第２遅延ユニット２５、複数の第２トリガユニット２７、及び複数の第２接触部２６を含む。接続プラグ２の各部材の電気的接続関係は、接続ソケット１の対応する部材と同じである。
【００６０】
接続プラグ２と接続ソケット１とが接続されると、それらの絶縁部が互いに接触することにより、導体部、オンオフユニット、遅延ユニット及びトリガユニットは、外部の複雑な環境から隔離されて且つ互いに隔離された複数の絶縁構造を形成する。第１接触部１６と対応する第２接触部２６とは、対応する絶縁構造内において電気的に接続される。遅延ユニットの遅延機能は、トリガユニットによってトリガされ、オンオフユニットのオンオフは、遅延ユニットによって制御され、２つの導体部のオンオフは、オンオフユニットによって制御される。当該オンオフユニット、遅延ユニット、又はトリガユニットは、別々に取り外すことができる。
【００６１】
当該電気コネクタは、実施形態１における電気接続方法を用いて電気的に接続されてよい。当該電気コネクタにおいて、導体部に対するオンオフユニットの一対一独立制御による制御方法、オンオフユニットに対する遅延ユニットの一対多制御による制御方法、及び、遅延ユニットに対するトリガユニットの多対一並列トリガによる方法が選択される。
【００６２】
＜実施形態８＞
図１１及び図１２に示すように、本発明は、接続対象である非挿入型及び挿入型の２つの接続ユニットを備えるインテリジェントコネクタを開示する。当該２つの接続ユニットは、接続プラグ２及び接続ソケット１である。
【００６３】
接続ソケット１は、複数の並列する第１導体部１３及び１つの絶縁部を含む。当該絶縁部は、密封状態で嵌合された絶縁前部１１及び絶縁後部１２を含み、並列する第１導体部１３は、絶縁後部１２内に配置されている。絶縁前部１１内には、それぞれ第１導体部１３に対応する複数の第１接触部１６が配置されており、絶縁前部１１と絶縁後部１２とが組み合わされることで一体化された収容キャビティが形成されている。収容キャビティ内には、１つの第１オンオフユニット１４及び１つの第１遅延ユニット１５が配置されている。第１オンオフユニット１４は、複数のオンオフモジュールを含み、オンオフモジュールの入力端及び出力端は、それぞれ対応する第１導体部１３及び対応する第１接触部１６と電気的に接続されており、第１オンオフユニット１４の制御端は、第１遅延ユニット１５と電気的に接続されている。絶縁前部１１の接続端３には、直列接続された後に第１遅延ユニット１５と電気的に接続された、複数の第１トリガユニット１７が配置されている。
【００６４】
接続プラグ２は、複数の並列する第２導体部２３、及び、複数の第２導体部２３を被覆し、複数の第２導体部２３の固定及び隔離のために用いられる絶縁部を含む。
【００６５】
当該電気コネクタは、実施形態１における電気接続方法を用いて電気的に接続されてよい。当該電気コネクタにおいて、導体部の間の導通に対するオンオフユニットの一対一独立制御又は多対一制御による制御方法、オンオフユニットに対する遅延ユニットの一対多制御による制御方法、及び、遅延ユニットに対するトリガユニットの多対一直列トリガによる方法が選択される。
【００６６】
＜実施形態９＞
実施形態２〜９における電気コネクタに基づき、又は、実施形態１における電気接続方法に基づいて、オンオフユニット、遅延ユニット、トリガユニットに対する電源の直列接続及び並列接続により、
一対一の独立制御、又は、一対多の一括制御である、導体部に対するオンオフユニットの制御方式、
一対一の独立制御、又は、一対多の一括制御である、オンオフユニットに対する遅延ユニットの制御方式、及び
一対一の独立トリガ、一対多の一括トリガ、多対一の直列トリガ、多対一の並列トリガ、又は、多対一の直列と並列との組合せのトリガである、遅延ユニットに対するトリガユニットのトリガ方式が実現される。
【００６７】
遅延ユニットは、ＭＣＵタイマ、ＬＣ回路、又はＲＣ回路であってよい。
上記の構造において、少なくとも２つのトリガユニットは、直列接続、又は、直列接続と並列接続との組合せ方式によって互いに電気的に接続されて、遅延ユニットをトリガすることができる。
トリガユニットは、電圧制御素子、磁気制御素子、又は光制御素子である。トリガユニットの出力信号は電気信号である。
接続ユニットは、少なくとも２つの並列する導体部を含んでよい。２つの接続ユニットの絶縁部は、挿入形式又は非挿入形式で接触した後、互いに隔離され、且つ導体部と協働する複数の絶縁構造を形成する。
【００６８】
上述した内容は、本発明の好ましい実施形態にすぎず、本発明を限定するものではない。本発明の趣旨及び原則範囲内で限り、いかなる修正、同等置換及び改良などのすべては本発明の保護範囲内に含まれるべきである。
【符号の説明】
【００６９】
１  接続ソケット
１１  絶縁前部
１２  絶縁後部
１３  第１導体部
１４  第１オンオフユニット
１５  第１遅延ユニット
１６  第１接触部
１７  第１トリガユニット
２  接続ヘッド
２１  絶縁前部
２２  絶縁後部
２３  第２導体部
２４  第２オンオフユニット
２５  第２遅延ユニット
２６  第２接触部
２７  第２トリガユニット
３  接続端
４  取付端
【図１】
2019519888.tif 000003
【図２】
2019519888.tif 000004
【図３】
2019519888.tif 000005
【図４】
2019519888.tif 000006
【図５】
2019519888.tif 000007
【図６】
2019519888.tif 000008
【図７】
2019519888.tif 000009
【図８】
2019519888.tif 000010
【図９】
2019519888.tif 000011
【図１０】
2019519888.tif 000012
【図１１】
2019519888.tif 000013
【図１２】
2019519888.tif 000014
【国際調査報告】
2019519888.tif 000015
2019519888.tif 000016
2019519888.tif 000017
2019519888.tif 000018